(57)【要約】【課題】本発明は、中空状の導光体を備える画像読取装置を提供することを目的とする。【解決手段】画像読取装置は、原稿Ｇに光を照射させるためのＬＥＤユニット５００と、ＬＥＤユニット５００と原稿Ｇとの間に配置され、ＬＥＤユニット５００側に配置される入射口４１１、４２１と、原稿Ｇ側に配置される出射口４１２、４２２と、入射口４１１、４２１と出射口４１２、４２２とをつなぐ中空部であって一端側から入光されたＬＥＤユニット５００からの光を他端側から出光させる中空部（上部導光空間４１０Ｓ、下部導光空間４２０Ｓ）と、を有する中空状の導光部４００と、を備える。導光部４００は、複数の部材により構成される。【選択図】図５
2010197461.tif 000002
【特許請求の範囲】
【請求項１】
原稿に光を照射させるための発光部と、
前記発光部と前記原稿との間に配置され、前記発光部側に配置される入光部と、前記原稿側に配置される出光部と、前記入光部と前記出光部とをつなぎ一端側から入光された前記発光部からの光を他端側から出光させる中空部と、を有する中空状の導光体と、
前記原稿からの光束を反射させて光路を形成する１又は複数のミラーと、
前記１又は複数のミラーにより反射された光束を結像させる結像レンズと、
前記結像レンズの結像位置に配置され、前記結像レンズによる結像に基づいて前記原稿の画像を読み取る読取部と、を備える
画像読取装置。
【請求項２】
前記導光体は、複数の部材を組み合わせて構成される
請求項１に記載の画像読取装置。
【請求項３】
前記複数の部材における前記中空部を形成する部分には、光反射率を向上させるための処理、又は、光反射率を向上させるためのシート状部材が配置される
請求項２に記載の画像読取装置。
【請求項４】
前記複数の部材における所定の部材は、他の部材とは異なる材料により構成される
請求項２又は３に記載の画像読取装置。
【請求項５】
前記複数の部材のうち、前記中空部を形成する所定の部材は、該画像読取装置において他の用途にも用いられている部材である
請求項２から４のいずれかに記載の画像読取装置。
【請求項６】
前記中空部は、第１中空部と、前記第１中空部とは異なる第２中空部とを有し、
前記第１中空部と前記第２中空部とは、一つの仕切り部材により仕切られている
請求項２から５に記載の画像読取装置。
【請求項７】
前記第１中空部は、
第１入光部と、第１出光部と、前記第１入光部と前記第１出光部との間に形成される屈曲部と、前記第１入光部から前記屈曲部まで副走査方向に延びる第１水平中空部と、前記屈曲部から前記第１出光部まで原稿側に傾斜して延びる第１傾斜中空部と、を有する
請求項６に記載の画像読取装置。
【請求項８】
前記第１水平中空部を形成する第１平板部と、前記第１傾斜中空部を形成する第１傾斜板部と、を有する第１部材と、を備え、
前記仕切り部材は、前記第１水平中空部を形成する第２平板部と、前記第１傾斜中空部を形成する第２傾斜板部と、を有する
請求項７に記載の画像読取装置。
【請求項９】
前記第２中空部は、
第２入光部と、第２出光部とを有し、前記第２入光部と前記第２出光部とをつなぎ副走査方向に延びるように形成される
請求項６から８のいずれかに記載の画像読取装置。
【請求項１０】
前記第２中空部を形成する平板状の第２部材と、を備え、
前記仕切り部材は、前記第２中空部の一部を形成する第２平板部と、前記第２中空部の一部を形成する第３平板部と、を有する
請求項９に記載の画像読取装置。
【請求項１１】
前記第１中空部における第１出光部又は前記第２中空部における前記第２出光部に対応して配置され、前記第１出光部又は前記第２出光部からの光を前記原稿側に反射させる反射部材と、を備える
請求項６から１０のいずれかに記載の画像読取装置。
【請求項１２】
前記仕切り部材は、前記第１中空部側の光反射率と前記第２中空部側の光反射率とが異なる
請求項６から１１のいずれかに記載の画像読取装置。
【請求項１３】
請求項１から１２のいずれかに記載の画像読取装置と、
前記画像読取装置より読み取られた前記原稿の画像に関する画像情報に基づいて、表面に静電潜像が形成される像担持体と、
前記像担持体に形成された静電潜像にトナー画像を現像する現像器と、
前記像担持体に形成されたトナー画像を直接的又は間接的に所定の用紙に転写する転写部と、
前記転写部により前記所定の用紙に転写されたトナー画像を定着させる定着部と、を備える
画像形成装置。
【発明の詳細な説明】
【技術分野】
【０００１】
本発明は、画像読取装置及び、画像読取装置を備える画像形成装置に関する。
【背景技術】
【０００２】
従来、原稿の画像を読み取る画像読取装置として、原稿に光を照射する照明部と、原稿からの光を反射させて光路を形成するミラーと、原稿からの光束を結像させる結像レンズと、結像レンズにより結像された原稿の画像を読み取るＣＣＤ（Ｃｈａｒｇｅ―Ｃｏｕｐｌｅｄ  Ｄｅｖｉｃｅ）と、を備える画像読取装置が知られている。
【０００３】
例えば、発光部からの光を有効に利用するため、発光部からの光を原稿側に導く導光体を有する画像読取装置が提案されている（例えば、特許文献１参照）。
【先行技術文献】
【特許文献】
【０００４】
【特許文献１】特開２００８−３５０３６号公報
【発明の概要】
【発明が解決しようとする課題】
【０００５】
しかし、特許文献１の画像読取装置において用いられる導光体（集光体）は、画像読取装置の重量を増加させる要因や、コストを上昇させる要因となる。
特に、導光体が中実状の場合、画像読取装置の重量が大幅に増加し、コストが大幅に上昇する要因となる。
【０００６】
また、導光体が中実状の場合、導光性の精度等を後から調整できない場合が多い。更には、導光体が中実状の場合、導光体の内部における光反射率を反射する面によって異なるように製造することが困難である。
【０００７】
本発明は、中空状の導光体を備える画像読取装置を提供することを目的とする。
また、本発明は、上記画像読取装置を備える画像形成装置を提供することを目的とする。
【課題を解決するための手段】
【０００８】
本発明は、原稿に光を照射させるための発光部と、前記発光部と前記原稿との間に配置され、前記発光部側に配置される入光部と、前記原稿側に配置される出光部と、前記入光部と前記出光部とをつなぎ一端側から入光された前記発光部からの光を他端側から出光させる中空部と、を有する中空状の導光体と、前記原稿からの光束を反射させて光路を形成する１又は複数のミラーと、前記１又は複数のミラーにより反射された光束を結像させる結像レンズと、前記結像レンズの結像位置に配置され、前記結像レンズによる結像に基づいて前記原稿の画像を読み取る読取部と、を備える画像読取装置に関する。
【０００９】
また、前記導光体は、複数の部材を組み合わせて構成されることが好ましい。
【００１０】
また、前記複数の部材における前記中空部を形成する部分には、光反射率を向上させるための処理、又は、光反射率を向上させるためのシート状部材が配置されることが好ましい。
【００１１】
また、前記複数の部材における所定の部材は、他の部材とは異なる材料により構成されることが好ましい。
【００１２】
また、前記複数の部材のうち、前記中空部を形成する所定の部材は、該画像読取装置において他の用途にも用いられている部材であることが好ましい。
【００１３】
また、前記中空部は、第１中空部と、前記第１中空部とは異なる第２中空部とを有し、前記第１中空部と前記第２中空部とは、一つの仕切り部材により仕切られていることが好ましい。
【００１４】
また、前記第１中空部は、第１入光部と、第１出光部と、前記第１入光部と前記第１出光部との間に形成される屈曲部と、前記第１入光部から前記屈曲部まで副走査方向に延びる第１水平中空部と、前記屈曲部から前記第１出光部まで原稿側に傾斜して延びる第１傾斜中空部と、を有することが好ましい。
【００１５】
また、前記第１水平中空部を形成する第１平板部と、前記第１傾斜中空部を形成する第１傾斜板部と、を有する第１部材と、を備え、前記仕切り部材は、前記第１水平中空部を形成する第２平板部と、前記第１傾斜中空部を形成する第２傾斜板部と、を有することが好ましい。
【００１６】
また、前記第２中空部は、第２入光部と、第２出光部とを有し、前記第２入光部と前記第２出光部とをつなぎ副走査方向に延びるように形成されることが好ましい。
【００１７】
また、前記第２中空部を形成する平板状の第２部材と、を備え、
前記仕切り部材は、前記第２中空部の一部を形成する第２平板部と、前記第２中空部の一部を形成する第３平板部と、を有することが好ましい。
【００１８】
また、前記第１中空部における第１出光部又は前記第２中空部における前記第２出光部に対応して配置され、前記第１出光部又は前記第２出光部からの光を前記原稿側に反射させる反射部材と、を備えることが好ましい。
【００１９】
また、前記仕切り部材は、前記第１中空部側の光反射率と前記第２中空部側の光反射率とが異なることが好ましい。
【００２０】
本発明は、画像読取装置と、前記画像読取装置より読み取られた前記原稿の画像に関する画像情報に基づいて、表面に静電潜像が形成される像担持体と、前記像担持体に形成された静電潜像にトナー画像を現像する現像器と、前記像担持体に形成されたトナー画像を直接的又は間接的に所定の用紙に転写する転写部と、前記転写部により前記所定の用紙に転写されたトナー画像を定着させる定着部と、を備える画像形成装置に関する。
【発明の効果】
【００２１】
本発明によれば、中空状の導光体を備える画像読取装置を提供することができる。
また、本発明によれば、上記画像読取装置を備える画像形成装置を提供することができる。
【図面の簡単な説明】
【００２２】
【図１】コピー機の各構成要素の配置を説明するための図である。
【図２】画像読取装置の読取部の内部構造を示す概略平面図である。
【図３】図２に示す画像読取装置の矢印Ｓ方向から見た図である。
【図４】照明ユニットの断面図である。
【図５】照明部の周辺部位の部分拡大図である。
【図６】導光部の分解斜視図である。
【図７】ＬＥＤユニットの斜視図である。
【図８】ＬＥＤユニットの発光を制御する発光制御部を含むブロック図である。
【図９】第２実施形態における照明ユニットの断面図である。
【図１０】図９における照明部の周辺部位の部分拡大図である。
【図１１】第２実施形態における導光部の分解斜視図である。
【発明を実施するための形態】
【００２３】
以下、図面を参照して、本発明の実施形態を説明する。
まず、図１から図８により、本発明の第１実施形態について説明する。
図１により、本実施形態における画像形成装置としてのコピー機１における全体構造を説明する。図１は、コピー機１の各構成要素の配置を説明するための図である。
【００２４】
図１に示すように、画像形成装置としてのコピー機１は、コピー機１における上方側に配置される画像読取装置３００と、コピー機１における下方側に配置され画像読取装置３００からの画像情報に基づいてシート状の被転写材としての用紙Ｔにトナー画像を形成する装置本体Ｍと、を備える。
【００２５】
画像読取装置３００について説明する。
図１に示すように、画像読取装置３００は、蓋部材７０と、原稿Ｇの画像を読み込む読取部３０１と、を備える。
蓋部材７０は、読取部３０１に対して不図示の連結部により開閉可能に連結される。蓋部材７０は、後述する読取面３０２Ａを保護する機能を有する。
【００２６】
読取部３０１は、読取面３０２Ａと、内部空間３０４に配置される光源としての照明部３４０と、複数のミラー３２１、３２２及び３２３と、読取面３０２Ａと平行な方向に移動する第１枠体３１１及び第２枠体３１２と、結像レンズ３５７と、読取手段としてのＣＣＤ３５８と、ＣＣＤ３５８により読み取られた画像データに対して所定の処理をすると共に該画像データを装置本体Ｍ側に出力させるＣＣＤ基板３６１と、を備える。
【００２７】
読取面３０２Ａは、原稿Ｇが載置されるコンタクトガラス３３５の垂直方向上面に沿って形成される。
上述の照明部３４０及びミラー３２１は、第１枠体３１１に収容される。また、ミラー３２２及び３２３は、第２枠体３１２に収容される。
【００２８】
読取部３０１の内部空間３０４において、複数のミラー３２１、３２２及び３２３は、原稿Ｇからの光を結像レンズ３５７に入光させるための光路Ｈを形成する。また、第１枠体３１１が副走査方向Ｘに一定速度Ａで移動すると共に、第２枠体３１２が副走査方向Ｘに一定速度Ａ／２で移動するため、画像読み取り動作時においても、光路Ｈの長さは一定に維持される。これにより、読取面３０２Ａに載置された原稿Ｇの画像が読み取られる。
【００２９】
装置本体Ｍについて説明する。
装置本体Ｍは、所定の画像情報に基づいて用紙Ｔに所定のトナー画像を形成する画像形成部と、用紙Ｔを画像形成部に給紙すると共にトナー画像が形成された用紙Ｔを排紙する給排紙部とを有する。
【００３０】
図１に示すように、画像形成部は、像担持体（感光体）としての感光体ドラム２ａ、２ｂ、２ｃ、２ｄと、帯電部１０ａ、１０ｂ、１０ｃ、１０ｄと、露光ユニットとしてのレーザスキャナユニット４ａ、４ｂ、４ｃ、４ｄと、現像器１６ａ、１６ｂ、１６ｃ、１６ｄと、トナーカートリッジ５ａ、５ｂ、５ｃ、５ｄと、トナー供給部６ａ、６ｂ、６ｃ、６ｄと、ドラムクリーニング部１１ａ、１１ｂ、１１ｃ、１１ｄと、除電器１２ａ、１２ｂ、１２ｃ、１２ｄと、中間転写ベルト７と、１次転写ローラ３７ａ、３７ｂ、３７ｃ、３７ｄと、２次転写ローラ８と、対抗ローラ１８と、定着部９と、を備える。
【００３１】
図１に示すように、給排紙部は、給紙カセット５２と、手差し給紙部６４と、用紙Ｔの搬送路Ｌと、レジストローラ対８０と、第１排紙部５０ａと、第２排紙部５０ｂとを備える。なお、搬送路Ｌは、後述するように、第１搬送路Ｌ１と、第２搬送路Ｌ２と、第３搬送路Ｌ３と、手差し搬送路Ｌａと、戻り搬送路Ｌｂと、後処理搬送路Ｌｃとの集合体である。
【００３２】
以下、画像形成部及び給排紙部の各構成について詳細に説明する。
まず、画像形成部について説明する。
画像形成部においては、感光体ドラム２ａ、２ｂ、２ｃ、２ｄそれぞれの表面に対して、上流側から下流側に順に、帯電部１０ａ、１０ｂ、１０ｃ、１０ｄによる帯電、レーザスキャナユニット４ａ、４ｂ、４ｃ、４ｄによる露光、現像器１６ａ、１６ｂ、１６ｃ、１６ｄによる現像、中間転写ベルト７及び１次転写ローラ３７ａ、３７ｂ、３７ｃ、３７ｄによる１次転写、除電器１２ａ、１２ｂ、１２ｃ、１２ｄによる除電、及びドラムクリーニング部１１ａ、１１ｂ、１１ｃ、１１ｄによるクリーニングが行われる。
また、画像形成部においては、中間転写ベルト７、２次転写ローラ８及び対抗ローラ１８による２次転写、並びに定着部９による定着が行われる。
【００３３】
感光体ドラム２ａ、２ｂ、２ｃ、２ｄそれぞれは、円筒形状の部材からなり、感光体又は像担持体として機能する。感光体ドラム２ａ、２ｂ、２ｃ、２ｄそれぞれは、中間転写ベルト７の進行方向に対して直交する方向に延びる機軸を中心に矢印の方向に回転可能に配置される。感光体ドラム２ａ、２ｂ、２ｃ、２ｄそれぞれにおける表面には、静電潜像が形成される。
【００３４】
帯電部１０ａ、１０ｂ、１０ｃ、１０ｄそれぞれは、感光体ドラム２ａ、２ｂ、２ｃ、２ｄそれぞれの表面に対向して配置される。帯電部１０ａ、１０ｂ、１０ｃ、１０ｄそれぞれは、感光体ドラム２ａ、２ｂ、２ｃ、２ｄそれぞれの表面を一様に負（マイナス極性）又は正（プラス極性）に帯電させる。
【００３５】
レーザスキャナユニット４ａ、４ｂ、４ｃ、４ｄは、露光ユニットとして機能するものであり、感光体ドラム２ａ、２ｂ、２ｃ、２ｄそれぞれの表面から離間して配置される。レーザスキャナユニット４ａ、４ｂ、４ｃ、４ｄそれぞれは、不図示のレーザ光源、ポリゴンミラー、ポリゴンミラー駆動用モータ等を有して構成される。
【００３６】
レーザスキャナユニット４ａ、４ｂ、４ｃ、４ｄそれぞれは、読取部３０１により読み込まれた画像に関する画像情報に基づいて感光体ドラム２ａ、２ｂ、２ｃ、２ｄそれぞれの表面を走査露光する。レーザスキャナユニット４ａ、４ｂ、４ｃ、４ｄそれぞれにより走査露光されることで、感光体ドラム２ａ、２ｂ、２ｃ、２ｄそれぞれの表面に帯電した電荷が除去される。これにより、感光体ドラム２ａ、２ｂ、２ｃ、２ｄそれぞれの表面に静電潜像が形成される。
【００３７】
現像器１６ａ、１６ｂ、１６ｃ、１６ｄそれぞれは、感光体ドラム２ａ、２ｂ、２ｃ、２ｄにそれぞれ対応して設けられ、感光体ドラム２ａ、２ｂ、２ｃ、２ｄの表面に対向して配置される。現像器１６ａ、１６ｂ、１６ｃ、１６ｄそれぞれは、感光体ドラム２ａ、２ｂ、２ｃ、２ｄに形成された静電潜像に各色のトナーを付着させて、カラーのトナー画像を現像する（感光体ドラムの表面にトナー画像を形成する）。現像器１６ａ、１６ｂ、１６ｃ、１６ｄそれぞれは、イエロー、シアン、マゼンタ、ブラックの４つのトナー色に対応する。現像器１６ａ、１６ｂ、１６ｃ、１６ｄそれぞれは、感光体ドラム２ａ、２ｂ、２ｃ、２ｄの表面に対向配置可能な現像ローラ、トナー攪拌用の攪拌ローラ等を有して構成される。
【００３８】
トナーカートリッジ５ａ、５ｂ、５ｃ、５ｄそれぞれは、現像器１６ａ、１６ｂ、１６ｃ、１６ｄそれぞれに対応して設けられており、現像器１６ａ、１６ｂ、１６ｃ、１６ｄそれぞれに対して供給される各色のトナーを収容する。トナーカートリッジ５ａ、５ｂ、５ｃ、５ｄそれぞれは、イエローのトナー、シアンのトナー、マゼンタのトナー、ブラックのトナーを収容する。
【００３９】
トナー供給部６ａ、６ｂ、６ｃ、６ｄそれぞれは、トナーカートリッジ５ａ、５ｂ、５ｃ、５ｄ及び現像器１６ａ、１６ｂ、１６ｃ、１６ｄにそれぞれ対応して設けられており、トナーカートリッジ５ａ、５ｂ、５ｃ、５ｄそれぞれに収容された各色のトナーを、現像器１６ａ、１６ｂ、１６ｃ、１６ｄそれぞれに対して供給する。
【００４０】
中間転写ベルト７には、感光体ドラム２ａ、２ｂ、２ｃ、２ｄに現像された各色のトナー画像が順次転写される。中間転写ベルト７は、従動ローラ３５、駆動ローラからなる対抗ローラ１８、テンションローラ３６等に掛け渡される。テンションローラ３６が中間転写ベルト７を内側から外側に付勢するため、中間転写ベルト７には所定の張力が与えられる。
【００４１】
中間転写ベルト７を挟んで感光体ドラム２ａ、２ｂ、２ｃ、２ｄと反対の側には、１次転写ローラ３７ａ、３７ｂ、３７ｃ、３７ｄそれぞれが対向して配置される。
【００４２】
１次転写ローラ３７ａ、３７ｂ、３７ｃ、３７ｄそれぞれと、感光体ドラム２ａ、２ｂ、２ｃ、２ｄそれぞれとの間で、中間転写ベルト７における所定部分が挟み込まれる。この挟み込まれた所定部分は、感光体ドラム２ａ、２ｂ、２ｃ、２ｄそれぞれにおける表面に押し当てられる。感光体ドラム２ａ、２ｂ、２ｃ、２ｄそれぞれと１次転写ローラ３７ａ、３７ｂ、３７ｃ、３７ｄそれぞれとの間で、それぞれ１次転写ニップＮ１ａ、Ｎ１ｂ、Ｎ１ｃ、Ｎ１ｄが形成される。１次転写ニップＮ１ａ、Ｎ１ｂ、Ｎ１ｃ、Ｎ１ｄそれぞれにおいて、感光体ドラム２ａ、２ｂ、２ｃ、２ｄそれぞれに現像された各色トナー画像が中間転写ベルト７に順次転写される。これにより、中間転写ベルト７には、フルカラーのトナー画像が形成される。
【００４３】
１次転写ローラ３７ａ、３７ｂ、３７ｃ、３７ｄそれぞれには、不図示の電圧印加手段により、感光体ドラム２ａ、２ｂ、２ｃ、２ｄそれぞれに現像された各色トナー画像を中間転写ベルト７に転写させるための１次転写バイアスが印加される。
【００４４】
除電器１２ａ、１２ｂ、１２ｃ、１２ｄそれぞれは、感光体ドラム２ａ、２ｂ、２ｃ、２ｄそれぞれの表面に対向して配置される。除電器１２ａ、１２ｂ、１２ｃ、１２ｄそれぞれは、感光体ドラム２ａ、２ｂ、２ｃ、２ｄそれぞれの表面に光を照射することにより、１次転写が行われた後の感光体ドラム２ａ、２ｂ、２ｃ、２ｄそれぞれの表面を除電する（電荷を除去する）。
【００４５】
ドラムクリーニング部１１ａ、１１ｂ、１１ｃ、１１ｄそれぞれは、感光体ドラム２ａ、２ｂ、２ｃ、２ｄそれぞれの表面に対向して配置される。ドラムクリーニング部１１ａ、１１ｂ、１１ｃ、１１ｄそれぞれは、感光体ドラム２ａ、２ｂ、２ｃ、２ｄそれぞれの表面に残存したトナーや付着物を除去すると共に、除去されたトナーを所定の回収機構へ搬送させて、回収させる。
【００４６】
２次転写ローラ８は、中間転写ベルト７に１次転写されたトナー画像を用紙Ｔに２次転写させる。２次転写ローラ８には、不図示の電圧印加手段により、中間転写ベルト７に形成されたトナー画像を用紙Ｔに転写させるための２次転写バイアスが印加される。
【００４７】
２次転写ローラ８は、中間転写ベルト７に対して接離される。具体的には、２次転写ローラ８は、中間転写ベルト７に当接される当接位置と中間転写ベルト７から離間する離間位置とに移動可能に構成される。詳細には、２次転写ローラ８は、中間転写ベルト７の表面に１次転写されたトナー画像を用紙Ｔに２次転写させる場合には当接位置に移動され、他の場合には離間位置に移動される。
【００４８】
中間転写ベルト７における２次転写ローラ８に対向する側には、対抗ローラ１８が配置される。中間転写ベルト７における所定部分は、２次転写ローラ８と対抗ローラ１８とによって挟み込まれる。そして、用紙Ｔは中間転写ベルト７の外面（トナー画像が１次転写された面）に押し当てられる。２次転写ローラ８と対抗ローラ１８との間で２次転写ニップＮ２が形成される。２次転写ニップＮ２において、中間転写ベルト７に１次転写されたトナー画像が用紙Ｔに２次転写される。
【００４９】
定着部９は、用紙Ｔに２次転写されたトナー画像を構成する各色トナーを溶融して用紙Ｔに定着させる。定着部９は、ヒータにより加熱される加熱ローラ９ａと、加熱ローラ９ａに圧接される加圧ローラ９ｂと、を備える。加熱ローラ９ａと加圧ローラ９ｂとは、トナー画像が２次転写された用紙Ｔを挟持するようにして搬送する。加熱ローラ９ａと加圧ローラ９ｂとの間に挟持されるように用紙Ｔが搬送されることで、用紙Ｔに転写されたトナーは、溶融し、用紙Ｔに定着される。
【００５０】
次に、給排紙部について説明する。
図１に示すように、装置本体Ｍの下部には、用紙Ｔを収容する２個の給紙カセット５２が上下に配列されて配置される。給紙カセット５２は、装置本体Ｍの筐体から水平方向に引き出し可能に構成される。給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図１において左側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラ対６３からなる重送防止機構を備える。
【００５１】
装置本体Ｍの右側面（図１において右側）には、手差し給紙部６４が設けられる。手差し給紙部６４は、給紙カセット５２にセットされる用紙Ｔとは異なる大きさや種類の用紙Ｔを装置本体Ｍに供給することを主目的として設けられる。手差し給紙部６４は、閉状態において装置本体Ｍの一部を構成する手差しトレイ６５と、給紙コロ６６とを備える。手差しトレイ６５は、その下端が給紙コロ６６の近傍に回動自在（開閉自在）に取り付けられる。開状態の手差しトレイ６５には、用紙Ｔが載置される。手差し給紙部６４は、開状態の手差しトレイ６５に載置された用紙Ｔを手差し搬送路Ｌａに給紙する。
【００５２】
装置本体Ｍにおける上方側には、第１排紙部５０ａ及び第２排紙部５０ｂが設けられる。第１排紙部５０ａ及び第２排紙部５０ｂは、用紙Ｔを装置本体Ｍの外部に排紙する。第１排紙部５０ａ及び第２排紙部５０ｂの詳細については後述する。
【００５３】
用紙Ｔを搬送する搬送路Ｌは、カセット給紙部５１から２次転写ローラ８までの第１搬送路Ｌ１と、２次転写ローラ８から定着部９までの第２搬送路Ｌ２と、定着部９から第１排紙部５０ａまでの第３搬送路Ｌ３と、手差し給紙部６４から供給される用紙を第１搬送路Ｌ１に合流させる手差し搬送路Ｌａと、第３搬送路Ｌ３を上流側から下流側へ搬送する用紙を表裏反転させて第１搬送路Ｌ１に戻す戻り搬送路Ｌｂと、第３搬送路Ｌ３を上流側から下流側へ搬送する用紙を後処理装置（図示せず）に搬送する後処理搬送路Ｌｃとを備える。
【００５４】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、後処理搬送路Ｌｃが第３搬送路Ｌ３から分岐する分岐部である。第１分岐部Ｑ１には、整流部材５８が設けられている。整流部材５８は、定着部９から搬出された用紙Ｔの搬送方向を、第１排紙部５０ａに向かう第３搬送路Ｌ３又は第２排紙部５０ｂに向かう後処理搬送路Ｌｃに整流させる（切り換える）。
【００５５】
第１搬送路Ｌ１の途中（詳細には、第２合流部Ｐ２と２次転写ローラ８との間）には、用紙Ｔを検出するためのセンサと、用紙Ｔのスキュー（斜め給紙）補正やトナー画像とのタイミングを合わせるためのレジストローラ対８０が配置される。センサは、用紙Ｔの搬送方向におけるレジストローラ対８０の直前（上流側）に配置される。レジストローラ対８０は、センサからの検出信情報に基づいて上述の補正やタイミング調整をして用紙Ｔを搬送する。
【００５６】
戻し搬送路Ｌｂは、用紙Ｔの両面印刷を行う際に、既に印刷されている面とは反対面（非印刷面）を感光体ドラム２に対向させるために設けられる搬送路である。戻し搬送路Ｌｂによれば、第１分岐部Ｑ１から排紙部５０側に搬送された用紙Ｔを表裏反転させて第１搬送路Ｌ１に戻して、２次転写ローラ８の上流側に配置されたレジストローラ対８０の上流側に搬送させることができる。戻し搬送路Ｌｂにより表裏反転された用紙Ｔには、感光体ドラム２により非印刷面に対して所定のトナー画像が転写される。
【００５７】
第３搬送路Ｌ３における端部には、第１排紙部５０ａが形成される。第１排紙部５０ａは、装置本体Ｍにおける上方側に配置される。第１排紙部５０ａは、装置本体Ｍの右側面側（図１において右側、手差し給紙部６４側）に向けて開口している。第１排紙部５０ａは、第３搬送路Ｌ３を搬送される用紙Ｔを装置本体Ｍの外部に排紙する。
【００５８】
第１排紙部５０ａにおける開口側には、排紙集積部Ｍ１が形成される。排紙集積部Ｍ１は、装置本体Ｍにおける上面（外面）に形成される。排紙集積部Ｍ１は、装置本体Ｍにおける上面が下方に窪んで形成された部分である。排紙集積部Ｍ１の底面は、装置本体Ｍにおける上面の一部を構成する。排紙集積部Ｍ１には、所定のトナー画像が転写され第１排紙部５０ａから排紙された用紙Ｔが積層して集積される。
【００５９】
後処理搬送路Ｌｃにおける端部には、第２排紙部５０ｂが形成される。第２排紙部５０ｂは、装置本体Ｍにおける上方側に配置される。第２排紙部５０ｂは、装置本体Ｍの左側面側（図１において左側、後処理装置が連結される側）に向けて開口している。第２排紙部５０ｂは、後処理搬送路Ｌｃを搬送される用紙Ｔを装置本体Ｍの外部に排紙する。
第２排紙部５０ｂにおける開口側には、後処理装置（図示せず）が連結される。後処理装置は、画像形成装置（コピー機１）から排出される用紙の後処理（ステープル、パンチ等）を行うものである。
なお、各搬送路の所定位置には用紙検出用のセンサが配置される。
【００６０】
次に、主搬送路Ｌ１〜Ｌ３（第１搬送路Ｌ１、第２搬送路Ｌ２及び第３搬送路Ｌ３を合わせて以下「主搬送路」ともいう）及び戻り搬送路Ｌｂにおける紙詰まり（ＪＡＭ）を解消するための構造について簡単に説明する。
図１に示すように、装置本体Ｍの左側面側（図１において左側）には、主搬送路Ｌ１〜Ｌ３及び戻り搬送路Ｌｂが主に上下方向に延びるように並列している。装置本体Ｍの左側面側（図１において左側）には、装置本体Ｍの側面の一部を形成するように、カバー体４０が設けられている。カバー体４０は、その下端部において、支点軸４３を介して装置本体Ｍに連結されている。支点軸４３は、その軸方向が主搬送路Ｌ１〜Ｌ３及び戻り搬送路Ｌｂを横断する方向に沿って配設されている。カバー体４０は、支点軸４３を中心として閉位置（図１に示す位置）と開位置（図示せず）との間を回動自在に構成されている。
【００６１】
カバー体４０は、支点軸４３によって装置本体Ｍに回動自在に連結された第１のカバー部４１と、同じ支点軸４３によって装置本体Ｍに回動自在に連結された第２のカバー部４２とから構成されている。第１のカバー部４１は、第２のカバー部４２よりも装置本体Ｍの外側（側面側）に位置する。なお、図１において、左下がりの破線でハッチングされた部分が第１のカバー部４１であり、右下がりの破線でハッチングされた部分が第２のカバー部４２である。
【００６２】
カバー体４０が閉位置に位置する状態において、第１のカバー部４１は、その外面側が装置本体Ｍの外面（側面）の一部を形成している。
また、カバー体４０が閉位置に位置する状態において、第２のカバー部４２は、その内面側（装置本体Ｍ側）が主搬送路Ｌ１〜Ｌ３の一部を形成している。
更に、カバー体４０が閉位置に位置する状態において、第１のカバー部４１の内面側と第２のカバー部４２の外面側とが、戻り搬送路Ｌｂの少なくとも一部を形成している。つまり、戻り搬送路Ｌｂは、第１のカバー部４１と第２のカバー部４２との間に形成されている。
【００６３】
本実施形態のコピー機１は、このような構成のカバー体４０を備えることにより、主搬送路Ｌ１〜Ｌ３で紙詰まり（ＪＡＭ）が発生した際には、カバー体４０を図１に示す閉位置から、開位置（図示せず）に回動して主搬送路Ｌ１〜Ｌ３を開放することにより、主搬送路Ｌ１〜Ｌ３に詰まった用紙を処理することができる。一方、戻り搬送路Ｌｂで紙詰まりが発生した際には、カバー体４０を開位置に回動した後、支点軸４３を中心に第２のカバー部４２を装置本体Ｍ側（図１において右側）に回動させて戻り搬送路Ｌｂを開放することにより、戻り搬送路Ｌｂに詰まった用紙を処理することができる。
【００６４】
次いで、図２から図８により、画像読取装置３００を構成する読取部３０１について説明する。
図２は、画像読取装置３００の読取部３０１の内部構造を示す概略平面図である。図３は、図２に示す画像読取装置３００の矢印Ｓ方向から見た図である。図４は、照明ユニット３４７の断面図である。図５は、図４における照明部３４０の周辺部位の部分拡大図である。図６は、導光部４００の分解斜視図である。図７は、ＬＥＤユニット５００の斜視図である。図８は、ＬＥＤユニット５００の発光を制御する発光制御部４５０を含むブロック図である。
【００６５】
図２及び図３に示すように、読取部３０１は、原稿Ｇが載置されるコンタクトガラス３３５と、一対の案内レール３４５と、駆動プーリ３５１が取り付けられた駆動軸３５０と、従動プーリ３５２が取り付けられた支軸３５３と、照明手段としての照明ユニット３４７と、ミラーユニット３４９と、結像レンズ３５７と、読取手段としてのＣＣＤ３５８と、光学センサ３６２と、を備える。
【００６６】
図２に示すように、読取部３０１は、上面（図２における手前側）に配置され原稿Ｇが載置されるコンタクトガラス３３５を有する。コンタクトガラス３３５は、コピー機１が通常の状態で配置された場合、水平面と略平行に配置される。
【００６７】
図２に示すように、一対の案内レール３４５は、読取部３０１における側面３０６ａ、３０６ｂ（図２における左右）同士の間に配置される。一対の案内レール３４５は、上述のコンタクトガラス３３５（図３参照）と平行に設置される。一対の案内レール３４５上には、照明ユニット３４７及びミラーユニット３４９が移動可能に載置される。
【００６８】
図２に示すように、駆動軸３５０は、側面３０６ａ側に案内レール３４５と直交するように配置される。駆動軸３５０は、不図示の駆動モータにより正転、又は逆転駆動される。駆動軸３５０の両端であって案内レール３４５よりも主走査方向Ｙの外側には、大径部及び小径部を有する駆動プーリ３５１が取り付けられる。
【００６９】
図２に示すように、支軸３５３は、側面３０６ｂ側に案内レール３４５と直交するように配置される。支軸３５３の両端であって案内レール３４５よりも主走査方向Ｙの外側には、駆動プーリ３５１と同一径の従動プーリ３５２が取り付けられる。
【００７０】
駆動プーリ３５１及び従動プーリ３５２の大径部には、駆動用ワイヤー３５４ａが掛け渡される。そして、駆動用ワイヤー３５４ａには、照明ユニット３４７が固定される。
また、駆動プーリ３５１及び従動プーリ３５２の小径部には、駆動用ワイヤー３５４ｂが掛け渡される。そして、駆動用ワイヤー３５４ｂには、ミラーユニット３４９が固定される。
【００７１】
駆動軸３５０が駆動モータによって回転されることで、駆動用ワイヤー３５４ａ、３５４ｂは回動される。駆動用ワイヤー３５４ａ、３５４ｂが回動されることで、照明ユニット３４７及びミラーユニット３４９は、案内レール３４５に沿って副走査方向Ｘ（図の左右方向）に移動される。駆動プーリ３５１及び従動プーリ３５２における大径部と小径部との径比は２：１である。そのため、照明ユニット３４７とミラーユニット３４９との移動距離の比は２：１となる。
【００７２】
なお、本実施形態においては、大径部及び小径部を有する駆動プーリ３５１及び従動プーリ３５２を利用して、照明ユニット３４７とミラーユニット３４９との移動距離の比が２：１となる構成を実現しているが、これに制限されない。例えば、ミラーユニット３４９に動滑車を設け、照明ユニット３４７を駆動用ワイヤーなどに固定して設けることにより、動滑車の原理を利用して、照明ユニット３４７とミラーユニット３４９との移動距離の比が２：１となる構成を実現することもできる。
【００７３】
ここで、照明ユニット３４７及びミラーユニット３４９における案内レール３４５の上面と接する部分には、接触子３５５がそれぞれ２個ずつ設けられる。各接触子３５５の案内レール３４５との接触面は球面状となっている。これにより、照明ユニット３４７及びミラーユニット３４９は、副走査方向Ｘへスムーズに移動される。
【００７４】
図２に示すように、読取部３０１の底面における側面３０６ａ側には、支持部材であるＩＳＵベース３５６が取り付けられる。ＩＳＵベース３５６の上面には、結像レンズ３５７と、読取手段としてのＣＣＤ３５８が所定の位置関係で取り付けられる。
【００７５】
図２に示すように、結像レンズ３５７は、ＩＳＵベース３５６に固定されるレンズ支持台３５９上に設置される。レンズ支持台３５９は、ＣＣＤ３５８側に配置されるガイド部材３６０により位置が調整可能に配置される。結像レンズ３５７は、読取部３０１の副走査方向Ｘにおける略中央に配置される。結像レンズ３５７は、光路Ｈ（図３参照）における原稿Ｇ側と反対の端部側に配置される。結像レンズ３５７は、入射された光束Ｈ４（図３参照）を所定位置において結像させる。つまり、結像レンズ３５７は、原稿Ｇの画像を所定位置において結像させる。
【００７６】
図２に示すように、ＣＣＤ３５８は、ガイド部材３６０の背面に配置されるＣＣＤ基板３６１に実装される。ＣＣＤ３５８は、結像レンズ３５７における結像位置に配置される。結像レンズ３５７からの光束は、ガイド部材３６０の中央付近に形成される開口窓３６０ａを通ってＣＣＤ３５８に入射される。ＣＣＤ３５８に入射される光束における光軸は、ガイド部材３６０の位置を微調整することにより補正される。
【００７７】
光学センサ３６２は、ＩＳＵベース３５６上に配置される。光学センサ３６２は、コンタクトガラス３３５上に載置された原稿Ｇからの反射光を受光するか否かによって原稿のサイズ（図２の左右方向）を検知する。
【００７８】
図３に示すように、照明ユニット３４７は、照明部３４０と、第１ミラー３２１と、照明部３４０を支持すると共に第１ミラー３２１を収容する第１枠体３１１と、を備える。
【００７９】
照明部３４０は、複数のＬＥＤ５０１，５０２を備える発光部としてのＬＥＤユニット５００（図５参照）と、ＬＥＤユニット５００に近接して配置された導光部４００とを備える。この照明部３４０については、後に詳述する。
【００８０】
第１ミラー３２１は、照明ユニット３４７における厚さ方向Ｚにおける下方側に配置される。第１ミラー３２１は、反射面が原稿Ｇ及び第２ミラー３２２側に向くように配置される。第１ミラー３２１は、原稿からの光束Ｈ１を第２ミラー３２２に反射させる。
【００８１】
第１枠体３１１は、駆動プーリ３５１及び従動プーリ３５２（図２参照）の大径部に掛け渡される駆動用ワイヤー３５４ａ（図２参照）に固定される。駆動用ワイヤー３５４ａ、３５４ｂが回動されることで、第１枠体３１１は、案内レール３４５（図２参照）に沿って副走査方向Ｘに移動される。
【００８２】
図３に示すように、ミラーユニット３４９は、第２ミラー３２２と、第３ミラー３２３と、第２ミラー３２２と第３ミラー３２３とを収容する第２枠体３１２と、を備える。
【００８３】
第２ミラー３２２は、第２枠体３１２の厚さ方向Ｚにおける上方側に配置される。第２ミラー３２２は、反射面が第１ミラー３２１及び第３ミラー３２３側を向くように配置される。第２ミラー３２２は、第１ミラー３２１からの光束Ｈ２を第３ミラー３２３側に反射させる。
【００８４】
第３ミラー３２３は、第２枠体３１２の厚さ方向Ｚにおける下方側に配置される。第３ミラー３２３は、反射面が第２ミラー３２２及び結像レンズ３５７側を向くように配置される。第３ミラー３２３は、第２ミラー３２２からの光束Ｈ３を結像レンズ３５７側に反射させる。
【００８５】
ここで、図４から図８により、照明部３４０について詳細に説明する。
図４に示すように、照明部３４０は、発光部としてのＬＥＤユニット５００と、ＬＥＤユニット５００から出射された照射光を所定経路で導く導光体としての導光部４００と、導光部４００によって導かれた照射光の光路を更に原稿Ｇにおける被読み取り部Ｒに向けて偏向させる反射ミラー５４１と、を備える。これらＬＥＤユニット５００、導光部４００、及び反射ミラー５４１は、取り付け部材５１０に装着されている。
【００８６】
図７に示すように、ＬＥＤユニット５００は、基板部材５０３と、基板部材５０３における一方の面に実装される２列のＬＥＤ列を備えている。２列のＬＥＤ列は、複数のＬＥＤ５０１が主走査方向Ｙに一定間隔で並んで配置されて成る第１ＬＥＤ列５５１と、複数のＬＥＤ５０２が主走査方向Ｙに一定間隔で並んで配置されて成る第２ＬＥＤ列５５２とである。第１ＬＥＤ列５５１と第２ＬＥＤ列５５２とは、主走査方向Ｙと直交する副走査方向Ｘ方向に、所定間隔を有して平行に配設されている。
【００８７】
ＬＥＤユニット５００における各ＬＥＤ５０１、５０２は、それぞれ発光（光を出射）する。
図５に示すように、ＬＥＤユニット５００は、第１ＬＥＤ列５５１を垂直方向上側として、各ＬＥＤ５０１，５０２の出射光軸と、ＬＥＤ５０１，５０２の配列方向とをそれぞれコンタクトガラス３３５と略平行とした姿勢で、ブラケット５０４を介して取り付け部材５１０に取り付けられている。
取り付け部材５１０は、金属等の材料によって、所定の剛性を有して形成されている。取り付け部材５１０は、第１枠体３１１における上方（図４において上方）に配置される。取り付け部材５１０には、ＬＥＤユニット５００と、導光部４００と、反射ミラー５４１とが取り付けられる。
【００８８】
図５に示すように、導光部４００は、垂直方向において重なる上下二層の導光路（上部導光路４１０，下部導光路４２０）を備えている。導光部４００は、主走査方向Ｙにおいて、ＬＥＤユニット５００に対応する長さを有している。
なお、以下の導光部４００に関する説明において、照射光の出射側（図２から図５における左側）を「前方側」、これとは逆側を「後方側」と称する。
【００８９】
上部導光路４１０は、上部上面４１３と、上部下面４１４と、主走査方向Ｙ両側の側面４１５、４１５とによって囲まれて形成された第１中空部としての上部導光空間４１０Ｓを有して構成されている。上部導光路４１０のＬＥＤユニット５００と対向する側（後方側）の端には、開口形状の入射口４１１が形成されている。また、上部導光路４１０の他方（前方側）の端には、開口形状の出射口４１２が形成されている。
【００９０】
上部導光空間４１０Ｓは、第１入光部としての入射口４１１と、第１出光部としての出射口４１２と、入射口４１１と出射口４１２との間に形成される屈曲部４３１と、入射口４１１から屈曲部４３１まで副走査方向Ｘに延びる第１水平中空部４３２と、屈曲部４３１から出射口４１２まで原稿側に傾斜して延びる第１傾斜中空部４３３と、を有する。
【００９１】
上部上面４１３は、入射口４１１から前方側に略水平に延びる上部上面水平部４１３Ａと、出射口４１２側において水平面に対して所定角度で上向きに形成された上部上面傾斜部４１３Ｂとを有する。
【００９２】
また、上部下面４１４は、入射口４１１から前方側に略水平に延びる上部下面水平部４１４Ａと、出射口４１２側において水平面に対して所定角度で上向きに形成された上部下面傾斜部４１４Ｂとを有する。ここで、水平方向に対する上部下面傾斜部４１４Ｂのなす角度は、水平方向に対する上部上面傾斜部４１３Ｂのなる角度よりも小さい。
【００９３】
上部導光路４１０は、入射口４１１から前方に向かって一定の断面形状を維持した状態で水平方向に延びると共に、出射口４１２側の所定位置において水平方向に対して所定角度をなすように上向きに延びるように形成される。
【００９４】
下部導光路４２０は、下部上面４２３と、下部下面４２４と、主走査方向Ｙ両側の側面４２５、４２５とに囲まれて形成された第２中空部としての下部導光空間４２０Ｓとを有して構成されている。下部導光路４２０のＬＥＤユニット５００と対向する側の端には、開口形状の入射口４２１が形成されている。また、下部導光路４２０の他方（前方側）の端には、開口形状の出射口４２２が形成されている。
【００９５】
下部導光空間４２０Ｓは、入射口４２１と、出射口４２２とを有する。下部導光空間４２０Ｓは、入射口４２１と出射口４２２とをつなぎ副走査方向Ｘに延びるように形成される。
【００９６】
下部上面４２３は、入射口４２１から前方側に略水平に延びるように形成される。また、下部下面４２４は、入射口４２１から前方側に略水平に延びるように形成される。
下部導光路４２０は、一定の断面形状を維持した状態で入射口４２１から前方側に出射口４２２に向かって水平方向に沿って延びるように形成される。
【００９７】
図６に示すように、導光部４００は、複数の部材により構成される。具体的には、導光部４００は、仕切り部材としての中間構成部材１４１と、第１部材としての上部構成部材１４２と、第２部材としての下部構成部材１４３とにより構成される。導光部４００は、中間構成部材１４１と、上部構成部材１４２と、下部構成部材１４３と組み合わせることにより形成される各構成部材１４１，１４２，１４３それぞれは、金属又は合成樹脂等の素材による薄板状の部材によって形成されている。
【００９８】
中間基板１４１Ａの前方部には、中間基板１４１Ａの後方部に対して所定角度をなすように（図６において）前方側が上向きとなる傾斜板部１４１Ｃが形成される。
また、中間基板１４１Ａの前方部には、傾斜板部１４１Ｃの根元部分から分岐するように形成され、中間基板１４１Ａと同じ方向に延びる平板部１４１Ｄが形成される（図５参照）。
【００９９】
中間基板１４１Ａは、第１水平中空部４３２を形成する第２平板部としての中間基板１４１Ａと、第１傾斜中空部を形成する第２傾斜板部としての傾斜板部１４１Ｃと、を有する。
また、中間基板１４１Ａは、下部導光空間４２０Ｓの一部を形成する第２平板部としての中間基板１４１Ａと、下部導光空間４２０Ｓの一部を形成する第３平板部としての平板部１４１Ｄと、を有する。
【０１００】
中間構成部材１４１は、平板状の中間基板１４１Ａの主走査方向Ｙにおける両端それぞれに接合される側板１４１Ｂ、１４１Ｂを有する。１４１Ｂ、１４１Ｂそれぞれは、中間基板１４１Ａの両端において中間基板１４１Ａと直交した状態で接合されている。側板１４１Ｂは、導光部４００の側面と対応する形状に形成されている。
【０１０１】
上部構成部材１４２は、第１水平中空部４３２を形成する第１平板部としての平板部１４２Ａと、第１傾斜中空部４３３を形成する第１傾斜板部としての傾斜部１４３Ｂとを有する。
上部構成部材１４２は、平板状の平板部１４２Ａと、平板部１４２Ａの前方側の端部に連続して形成され平板部１４２Ａと所定の角度をなすように前方側が上向きとなる傾斜部１４２Ｂとを備える。
【０１０２】
下部構成部材１４３は、下部導光空間４２０Ｓを形成する平板状の部材である。
下部構成部材１４３は、下部導光路４２０（図５参照）と対応する大きさの平板状に形成されている。
【０１０３】
ここで、上部構成部材１４２は、中間構成部材１４１の上側に接着又は嵌め合わせ等の結合構造によって、一体に組み合わされる。これにより、中間構成部材１４１における左右の側板１４１Ｂ、１４１Ｂの上縁に、上部構成部材１４２の側縁がそれぞれ光漏れの無いようにして結合される。
また、下部構成部材１４３は、中間構成部材１４１の下側に接着又は嵌め合わせ等の結合構造によって、一体に組み合わされる。これにより、中間構成部材１４１における側板１４１Ｂ、１４１Ｂの下縁に、下部構成部材１４３の側縁がそれぞれ光漏れの無いようにして結合される。
【０１０４】
そして、図５及び図６に示すように、中間構成部材１４１における中間基板１４１Ａの上面は、上部導光路４１０における上部下面４１４の上部下面水平部４１４Ａを形成する。また、中間構成部材１４１における傾斜板部１４１Ｃの上面は、上部導光路４１０における上部下面４１４の上部下面傾斜部４１４Ｂを形成する。さらに、中間構成部材１４１における中間基板１４１Ａの下面は、下部導光路４２０における下部上面４２３を形成する。
【０１０５】
また、上部構成部材１４２における平板部１４２Ａの下面は、上部導光路４１０における上部上面水平部４１３Ａを形成し、上部構成部材１４２における傾斜部１４２Ｂの下面は、上部導光路４１０における上部上面傾斜部４１３Ｂを形成する。
また、下部構成部材１４３の上面は、下部導光路４２０における下部下面４２４を形成する。
【０１０６】
これにより、図５に示すように、中間構成部材１４１と上部構成部材１４２との間に上部導光空間４１０Ｓが形成されると共に、中間構成部材１４１と上部構成部材１４２との間に上部導光空間４１０Ｓが形成され、上部導光路４１０と下部導光路４２０とを備える導光部４００が構成される。
【０１０７】
ここで、導光部４００における、上部導光路４１０及び下部導光路４２０の内壁面には、光反射率を向上させるための処理、又は、光反射率を向上させるためのシート状部材が配置される。すなわち、導光部４００の内壁面は、鏡面研磨、メッキ、真空蒸着、スパッタリング、塗装又はテープの貼着等の表面処理又は加工によって、所望の光反射率を有するように形成されているものである。これらの処理又は加工は、導光部４００の部位によって変えても良い。例えば、上部導光路４１０を形成する上部下面４１４と、下部導光路４２０を形成する下部上面４２３とで、光反射率を変えるものである。そうすることで、上部導光路４１０を介した光と下部導光路４２０を介した光の光量バランスを調整することができる。なお、素材のままで所定の光反射率を有するのであれば、そのままでも良いことは言うまでもない。
【０１０８】
上記のように、導光部４００は、中間構成部材１４１と、上部構成部材１４２と、下部構成部材１４３とを組み合わせて構成されることにより、前述した導光部４００の内壁面（上部導光路４１０及び下部導光路４２０の内壁面）に対する処理又は加工が極めて容易に行える。また、各部材の素材を変えることで、光学特性（光反射率）を調整することも可能となる。
【０１０９】
上記のように構成された導光部４００は、第１枠体３１１（図４参照）の上面に固定された取り付け部材５１０の上面に、上部導光路４１０及び下部導光路４２０をコンタクトガラス３３５と略平行とした姿勢で配設されている。
導光部４００における上部導光路４１０の入射口４１１は、ＬＥＤユニット５００における第１ＬＥＤ列５５１に対応し、下部導光路４２０の入射口４２１はＬＥＤユニット５００における第２ＬＥＤ列５５２に対応している。
【０１１０】
図５に示すように、導光部４００において、第１ＬＥＤ列５５１を構成する複数のＬＥＤ５０１が発した光は、入射口４１１から上部導光路４１０に入射し、上部導光路４１０の内部を通って出射口４１２から出射する。すなわち、第１ＬＥＤ列５５１を構成するＬＥＤ５０１が発した光軸付近の光は、上部導光路４１０内を直進し、上部下面傾斜部４１４Ｂによって反射されて出射口４１２から出射する。
【０１１１】
また、第１ＬＥＤ列５５１を構成するＬＥＤ５０１が発した図５において上下方向に拡散板する不図示の周辺光は、上部上面水平部４１３Ａと上部下面水平部４１４Ａとの間で反射を繰り返して、最終的には上部下面傾斜部４１４Ｂによって反射されて出射口４１２から出射する。
【０１１２】
更に、第１ＬＥＤ列５５１を構成するＬＥＤ５０１が発した水平方向（主走査方向Ｙ）に広がる周辺光は、上部上面水平部４１３Ａと上部下面水平部４１４Ａとの間で反射を繰り返しつつ副走査方向Ｘに対して角度をなす向に進み、出射口４１２から出射する。これにより、出射口４１２からは、主走査方向Ｙに略均一化された光（１次照射光束４１０Ｈ）が出射することとなる。従って、ＬＥＤ５０１が主走査方向Ｙに間欠的に配置されていることに起因する光度ムラを抑えることができる。
【０１１３】
１次照射光束４１０Ｈは、前方斜め上側に向けて所定の角度で上部導光路４１０から出射し、その中心光軸は被読み取り部Ｒに向かうように設定されている。
これにより、出射口４１２から出射した１次照射光束４１０Ｈは、原稿Ｇにおける被読み取り部Ｒを、後方側から所定の角度で照射する。
【０１１４】
一方、導光部４００において、第２ＬＥＤ列５５２を構成する複数のＬＥＤ５０２が発した光は、入射口４２１から下部導光路４２０に入射し、下部導光路４２０の内部を通って出射口４２２から出射する。すなわち、第２ＬＥＤ列５５２を構成するＬＥＤ５０２が発した光軸付近の光は、下部導光路４２０内を直進して出射口４２２から前方側に向かって出射する。
【０１１５】
また、第２ＬＥＤ列５５２を構成するＬＥＤ５０２が発し図５において上下方向に拡散板する不図示の周辺光は、下部上面４２３と下部下面４２４との間で反射を繰り返して、最終的に出射口４２２から前方側に向かって出射する。
【０１１６】
更に、第２ＬＥＤ列５５２を構成するＬＥＤ５０２が発した水平方向（主走査方向Ｙ）に広がる周辺光は、下部上面４２３と下部下面４２４との間で反射を繰り返しつつ副走査方向Ｘに対して角度をなす方向に進み、出射口４２２から前方側に向かって出射する。これにより、出射口４２２からは、主走査方向Ｙに略均一化された光（２次照射光束４２０Ｈ）が出射することとなる。従って、ＬＥＤ５０２が主走査方向Ｙに間欠的に配置されていることに起因する光度ムラを抑えることができる。
【０１１７】
図４及び図５に示すように、導光部４００における下部導光路４２０の前方側には、反射部材としての反射ミラー５４１が配設されている。
反射ミラー５４１は、第２出光部としての出射口４２２に対応して配置される。ここで、本実施形態において、反射ミラー５４１は出射口４２２に対応して配置されているが、導光部４００の形状や構成によっては第１出光部としての出射口４１２に対応して配置されていてもよい。
【０１１８】
反射ミラー５４１は、断面形状が略所定半径の凹面状の反射面５４１Ａを備えている。
反射ミラー５４１は、反射面５４１Ａの中心軸を、下部導光路４２０の出射口４２２側及び原稿Ｇにおける被読み取り部Ｒ側を向いた姿勢で、ミラー保持部５１１を介して取り付け部材５１０に設けられている。
【０１１９】
反射ミラー５４１は、原稿Ｇにおける被読み取り部Ｒより前方側に配設されている。具体的には、反射ミラー５４１の副走査方向Ｘにおける位置は、原稿Ｇにおける被読み取り部Ｒを含む垂直面を挟んで、下部導光路４２０の出射口４２２と略対称となっている。
このように構成された反射ミラー５４１は、下部導光路４２０の出射口４２２から出射した２次照射光束４２０Ｈを、原稿Ｇにおける被読み取り部Ｒに集光するように反射偏向させる。これにより、２次照射光束４２０Ｈは、原稿Ｇにおける被読み取り部Ｒを、前方側（１次照射光束４１０Ｈとは反対側）から所定の角度で照射する。
【０１２０】
ここで、図８に示すように、本実施形態における画像読取装置３００は、第１ＬＥＤ列５５１を構成する複数のＬＥＤ５０１と、第１ＬＥＤ列５５１を構成する複数のＬＥＤ５０２それぞれにおける発光を別々に制御する発光量制御部としての発光制御部４５０を備える。
【０１２１】
発光制御部４５０は、第１ＬＥＤ列５５１を構成する複数のＬＥＤ５０１と、第１ＬＥＤ列５５１を構成する複数のＬＥＤ５０２とのうちの一方を、発光しないように制御することができる。
【０１２２】
また、発光制御部４５０は、第１ＬＥＤ列５５１を構成する複数のＬＥＤ５０１と、第１ＬＥＤ列５５１を構成する複数のＬＥＤ５０２とにおける発光量を制御することができる。例えば、画像読取装置３００における読み込みの速度や、原稿Ｇの厚さ等に応じてそれぞれにおける発光量を調整することができる。発光量の調整は、第１ＬＥＤ列５５１を構成する複数のＬＥＤ５０１と、第１ＬＥＤ列５５１を構成する複数のＬＥＤ５０２への供給電圧等を調整することにより行うことができる。
【０１２３】
続けて、本実施形態における画像読取装置３００の作用について説明する。
まず、蓋部材７０（図１参照）を開状態にすると共に、読取面３０２Ａ（図２参照）を構成する第２読取面３０４Ａ（図３参照）に原稿Ｇを載置する。光学センサ３６２（図３参照）により第２読取面３０４Ａに原稿が載置されたことが検知されることで、照明ユニット３４７及びミラーユニット３４９（図３参照）は、第２位置に配置される。
【０１２４】
次いで、蓋部材７０を閉状態にする。そして、不図示のスタートスイッチを押すことで、カラーコピー機１に対して、原稿Ｇの画像を複製することを指示する。スタートスイッチが押されることで、画像読取装置３００による原稿Ｇの画像を読み取り動作が開始される。
【０１２５】
具体的には、まず、ＬＥＤユニット５００における複数のＬＥＤ５０１、５０２（図３及び図４参照）が点灯される。点灯された第１ＬＥＤ列５５１における複数のＬＥＤ５０１が発した光は、導光部４００の上部導光路４１０を通って出射口４１２から１次照射光束４１０Ｈとなって出射し、原稿Ｇにおける被読み取り部Ｒを後方側から所定の角度で照射する。また、点灯された第２ＬＥＤ列５５２における複数のＬＥＤ５０２が発した光は、導光部４００の下部導光路４２０を通って出射口４２２から２次照射光束４２０Ｈとなって出射する。２次照射光束４２０Ｈは、反射ミラー５４１によって反射偏向され、原稿Ｇにおける被読み取り部Ｒを前方側から所定の角度で照射する。
【０１２６】
従って、原稿Ｇにおける被読み取り部Ｒは、副走査方向Ｘにおける一方側から１次照射光束４１０Ｈに照射され、副走査方向Ｘにおける他方側から２次照射光束４２０Ｈに照射される。これにより、原稿Ｇにおける被読み取り部Ｒには、主走査方向Ｙに延びるような態様のライン状の光が、副走査方向Ｘ両側から照射される。
【０１２７】
原稿Ｇにおける被読み取り部Ｒに光が照射された状態において、照明ユニット３４７及びミラーユニット３４９それぞれは、副走査方向Ｘに移動される。照明ユニット３４７及びミラーユニット３４９それぞれは、光路Ｈにおける光路長を一定に保持しながら移動する。
【０１２８】
原稿Ｇからの像光束は、第１ミラー３２１、第２ミラー３２２及び第３ミラー３２３に反射された後、結像レンズ３５７に入射する（図３参照）。
【０１２９】
結像レンズ３５７は、原稿Ｇの画像をＣＣＤ３５８の受光面に結像させる。ＣＣＤ３５８は、受光面に結像された原稿Ｇにおける被読み取り部Ｒの画像情報を電気信号に変換して読み込む（図３参照）。
【０１３０】
ここで、導光部４００から出射された光が原稿Ｇに対して副走査方向Ｘにおける一方側と他方側との双方から光が照射されるので、読み取られた画像にエッジ影が発生することを抑制できる（図３及び図４参照）。
【０１３１】
ＣＣＤ３５８により読み込まれた画像情報は、ＣＣＤ基板３６１に出力される。そして、ＣＣＤ基板３６１に出力された画像情報は、所定の回路基板を介して装置本体Ｍに出力される（図３参照）。
【０１３２】
装置本体Ｍにおいて、入力された画像情報は、不図示の画像形成制御部に入力される。画像形成制御部は、画像情報に基づいて、画像形成部を構成する像担持体としての感光体ドラム２、帯電部１０、レーザスキャナユニット４や現像器１６等を制御する。感光体ドラム２には、画像情報に基づいて、所定のトナー画像が形成される（図１参照）。
【０１３３】
搬送路Ｌを介して感光体ドラム２により形成される転写ニップＮに搬送された用紙Ｔには、画像情報に基づいて原稿Ｇの画像と同じ画像が転写される。画像が形成された用紙Ｔは、排紙部５０から装置本体Ｍの外部に排紙される（図１参照）。
【０１３４】
本実施形態によれば、ＬＥＤユニット５００における複数のＬＥＤ５０１、５０２により発光された光は、中空状に形成された導光部４００における上部導光路４１０及び下部導光路４２０に導かれて原稿Ｇを照射する。このため、アクリル樹脂やガラスといった透光素材によって無垢（中実）に形成した導光体を用いるものに比較して、導光部４００を軽量且つ低コストに構成することができる。また、必要な透明性を確保するといった面倒な品質管理も不要で、光反射率の変更等の光学的な調整も容易に行うことができる。
【０１３５】
また、本実施形態によれば、導光部４００は、複数の構成部材（中間構成部材１４１、上部構成部材１４２、下部構成部材１４３）を組み合わせて構成されるため、内面の光反射率等の光学特性を表面処理やシートの貼付等によって容易に調整することができる。また、必要に応じて構成部材ごとに異なる材料で構成することも可能となる。
【０１３６】
また、本実施形態によれば、上部導光路４１０及び下部導光路４２０を構成する構成部材の内面に、光反射率を向上させるための処理や光反射率を向上させるためのシート状部材が配置されることにより、照明光の減衰を抑えた効率の良い照明が可能となる。
【０１３７】
また、本実施形態によれば、導光部４００は、中間基板１４１Ａによって内部が上部導光路４１０と下部導光路４２０とに仕切られている。これにより、極めて簡単で低コストな構成で、２つの異なる光路（上部導光路４１０，下部導光路４２０）を構成することができる。これら異なる光路を介した光（１次照射光束４１０Ｈ、２次照射光束４２０Ｈ）で原稿Ｇを異なる角度から照射することで、読み取られた画像にエッジ影が発生することを抑制できる。
【０１３８】
また、本実施形態によれば、中間基板１４１Ａにおける上部導光路４１０を形成する面の光反射率と、下部導光路４２０を形成する面の光反射率とを異ならせることにより、光路の開口面積を変更する等の面倒な調整作業を要すること無く、上部導光路４１０と下部導光路４２０とからの光（１次照射光束４１０Ｈ、２次照射光束４２０Ｈ）の光量バランスを調整することが可能となる。
【０１３９】
また、本実施形態によれば、上述の効果を有する画像読取装置３００を備えるカラーコピー機１を提供することができる。
【０１４０】
続けて、図９から図１１により、第２実施形態におけるカラーコピー機について説明する。図９は、照明ユニット３４７Ａの断面図である。図１０は、図９における照明部３４０の周辺部位の部分拡大図である。図１１は、導光部４００Ａの分解斜視図である。
なお、本第２実施形態におけるカラーコピー機は、照明ユニット３４７Ａ（照明部３４０Ａにおける導光部４００Ａ）を除いて第１実施形態におけるカラーコピー機１と同様の構成を有する。以下、第１実施形態におけるカラーコピー機１とは異なる照明部３４０Ａにおける導光部４００Ａのみについて詳細に説明し、第１実施形態と共通の構成要素については同符号を付して説明は省略する。
【０１４１】
図９から図１１に示すように、照明ユニット３４７Ａは、照明部３４０Ａと、第１ミラー３２１と、照明部３４０Ａを支持すると共に第１ミラー３２１を収容する第１枠体３１１と、を備えている。
【０１４２】
照明部３４０Ａは、ＬＥＤユニット５００と、ＬＥＤユニット５００から出射された照射光を所定経路で導く導光部４００Ａと、導光部４００Ａによって導かれた照射光の光路を更に原稿Ｇにおける被読み取り部Ｒに向けて偏向させる反射ミラー５４１とを備える。ＬＥＤユニット５００と、導光部４００Ａと、及び反射ミラー５４１とは、取り付け部材５１０に装着されている。
【０１４３】
導光部４００Ａは、上部導光路４１０と、下部導光路４２０とを備えている。
本第２実施形態では、下部導光路４２０の下面を形成する下部下面４２４が、取り付け部材５１０の上面部材５１０Ａによって形成されている。
すなわち、図１１に示すように、導光部４００Ａは、中間構成部材１４１と、上部構成部材１４２を組み合わせたものを、取り付け部材５１０（図１０参照）に装着することで構成されている。
【０１４４】
中間構成部材１４１は、第１実施形態と同様、平板状の仕切部材としての中間基板１４１Ａの主走査方向Ｙにおける両端それぞれに接合される側板１４１Ｂ、１４１Ｂを有する。側板１４１Ｂ、１４１Ｂそれぞれは、中間基板１４１Ａの両端において中間基板１４１Ａと直交した状態で接合されている。側板１４１Ｂは、導光部４００の側面と対応する形状に形成されている。
【０１４５】
中間構成部材１４１は、平板状の仕切部材としての中間基板１４１Ａの主走査方向Ｙにおける両端それぞれに接合される側板１４１Ｂ、１４１Ｂを有する。側板１４１Ｂ、１４１Ｂそれぞれは、中間基板１４１Ａの両端において中間基板１４１Ａと直交した状態で接合されている。側板１４１Ｂは、導光部４００の側面と対応する形状に形成されている。
【０１４６】
ここで、上部構成部材１４２は、中間構成部材１４１の上側に接着又は嵌め合わせ等の結合構造によって、一体に組み合わされる。これにより、中間構成部材１４１における左右の側板１４１Ｂ、１４１Ｂの上縁に、上部構成部材１４２の側縁がそれぞれ光漏れの無いようにして結合される。
中間構成部材１４１と上部構成部材１４２とが組み立てられた状態で、取り付け部材５１０の上面部材５１０Ａの上面に、中間構成部材１４１における側板１４１Ｂ、１４１Ｂの下縁がそれぞれ光漏れの無いように固定される。
【０１４７】
これにより、図９から図１１に示すように、中間構成部材１４１と上部構成部材１４２とによって上部導光空間４１０Ｓが形成されると共に、中間構成部材１４１と取り付け部材５１０の上面（上面部材５１０Ａ）とによって下部導光空間４２０Ｓが形成され、上部導光路４１０と下部導光路４２０とを備える導光部４００Ａが構成される。
ここで、取り付け部材５１０の上面部材５１０Ａは、上面が平坦に形成されると共に、その表面は、必要に応じて塗装やテープの貼着等によって所定の光反射率を有するように形成される。
【０１４８】
本第２実施形態によれば、第１実施形態における効果を得ることができると共に以下に示す効果を得ることができる。
本第２実施形態によれば、導光部４００Ａを支持する取り付け部材５１０の上面（上面部材５１０Ａ）が下部導光路４２０の一部を構成する。このため、部品点数と組立工数とを削減することができ、コスト低減が可能となる。
【０１４９】
以上、好適な実施形態として第１実施形態及び第２実施形態について説明したが、本発明は上述した実施形態に限定されることなく種々の形態で実施することができる。例えば、本実施形態において、画像形成装置としてカラーコピー機１につい説明しているが、これに限定されず、モノクロコピー機、プリンタ、ファクシミリ及びこれらの複合機等であってもよい。
【０１５０】
また、第１実施形態及び第２実施形態において、画像読取装置３００は、装置本体Ｍと一体的に形成されているが、これに限定されず、装置本体Ｍと別個の筐体により構成されていてもよい。例えば、画像読取装置３００は、装置本体Ｍに対して着脱可能に構成されてもよい。
【０１５１】
また、第１実施形態及び第２実施形態において、発光部としてＬＥＤ５０１，５０２を備えるＬＥＤユニット５００について説明しているが、これに限定されない。例えば、発光部として、有機ＥＬ（Ｏｒｇａｎｉｃ  Ｅｌｅｃｔｒｏ−Ｌｕｍｉｎｅｓｃｅｎｃｅ）、光ファイバーを利用したものや各種ランプを用いることができる。
【符号の説明】
【０１５２】
１……コピー機（画像形成装置）、２ａ、２ｂ、２ｃ、２ｄ……感光体ドラム（像担持体）、１６……現像器、１４１……中間構成部材（複数の部材）、１４１Ａ……中間基板（仕切部材）、１４２……上部構成部材（第１部材）、１４３……下部構成部材（第２部材）、３００……画像読取装置、３２１……第１ミラー（ミラー）、３２２……第２ミラー（ミラー）、３２３……第３ミラー（ミラー）、３４０……照明部、３５７……結像レンズ、３５８……ＣＣＤ（読取手段）、４００……導光部（導光体）、４１０Ｓ……上部導光空間（第１中空部）、４１１……入射口（入光部）、４１２……出射口（出光部）、４１３……上部上面（中空部を形成する部分）、４１４……上部下面（中空部を形成する部分）、４２０Ｓ……下部導光空間（第２中空部）、４２１……入射口（入光部）、４２２……出射口（出光部）、４２３……下部上面（中空部を形成する部分）、４２４……下部下面（中空部を形成する部分）、４３１……屈曲部、４３２……第１水平中空部、４３３……第１傾斜中空部、４５０……発光制御部（発光量制御部）、５００……ＬＥＤユニット（発光部）、５１０……取り付け部材（他の用途にも用いられている部材）、Ｇ……原稿、Ｈ……光路、Ｎ……転写ニップ（転写部）、Ｘ……副走査方向、Ｙ……主走査方向
【図１】
2010197461.tif 000003
【図２】
2010197461.tif 000004
【図３】
2010197461.tif 000005
【図４】
2010197461.tif 000006
【図５】
2010197461.tif 000007
【図６】
2010197461.tif 000008
【図７】
2010197461.tif 000009
【図８】
2010197461.tif 000010
【図９】
2010197461.tif 000011
【図１０】
2010197461.tif 000012
【図１１】
2010197461.tif 000013